(57)【要約】      （修正有）【課題】噴霧器を単独で販売でき、ファン或いは他の固定フレームと結合できるミストファンの固定装置を提供する。【解決手段】ポンプが内部に固定されたハウジング２０の片側には嵌接槽２００を凹状に設置し、引き締め部材２１及びネジ２３を備えて固定装置２を組成し、この固定装置によりハウジングをファンフレーム或いは他の固定フレーム上に固定する。嵌接槽２００両側には少なくとも１個のネジ孔２０１をそれぞれ設置し、引き締め部材２１は中央に、ハウジングの嵌接槽に対応した凹部２１０を備え、凹部と嵌接槽とは螺合固定区間を形成し、引き締め部材は両側に翼板２１１を外へとそれぞれ延伸し、翼板はネジ孔２０１に対応して、穿孔２１２を備え、ネジ２３は翼板の穿孔を通過後、ネジ孔と螺合する。これにより噴霧器のハウジングはファンの管体３０或いは他の固定フレームと緊密に結合して固定される。【選択図】図３
0003191071.tif 000002
【実用新案登録請求の範囲】
【請求項１】
ミストファンの固定装置であって、前記固定装置により、内部に水を入れたポンプを設置したハウジングを、ファンの管体或いは他の固定フレーム上に固定し、
前記ハウジングは、噴霧器の貯水ボックスと分離し、
前記固定装置は、嵌接槽、引き締め部材を備え、
前記嵌接槽は、前記ハウジングの片側が陥没して構成し、
前記引き締め部材は、中央に、前記ハウジングの嵌接槽に対応し、凹部を備え、前記凹部と前記嵌接槽とは、螺合固定区間を形成し、前記螺合固定区間は、前記ファンの管体、或いは他の固定フレームの管体外を包んで固定し、しかも前記ファンの管体或いは他の固定フレームの管体を、緊密に引き締めて固定することを特徴とするミストファンの固定装置。
【請求項２】
前記ハウジングの外壁には、コンセントを設置し、
前記コンセントは、前記ポンプの電源端と連接することを特徴とする請求項１に記載のミストファンの固定装置。
【請求項３】
前記ハウジングは、前記嵌接槽両側に、ネジ孔をそれぞれ設置し、
前記引き締め部材両側は、翼板を外へと延伸し、前記翼板は前記ネジ孔に対応し、それぞれ穿孔を備え、ネジは、前記引き締め部材を、前記ハウジング上に螺合して固定することを特徴とする請求項２に記載のミストファンの固定装置。
【請求項４】
前記ハウジングの嵌接槽及び前記引き締め部材の凹部は、弧状構造で、両者の間には間隔を開け、中空円状の螺合固定区間を形成することを特徴とする請求項３に記載のミストファンの固定装置。
【請求項５】
前記引き締め部材は、可塑性を備えることを特徴とする請求項４に記載のミストファンの固定装置。
【考案の詳細な説明】
【技術分野】
【０００１】
本考案はミストファンの固定装置に関し、特に噴霧器を単独で販売でき、別にファン或いは他の固定フレームと結合できるミストファンの固定装置に関する。
【背景技術】
【０００２】
ファンに噴霧器を取り付ける時、噴霧器の噴霧ヘッドは、ファンのネット上に分散して配列される。こうして、噴霧器が噴出する霧は、ファンが噴出す風力により拡散し、温度を低下させることができる。
【０００３】
図１に示す従来のミストファン１は、ファン１０、噴霧器１１を備える。噴霧器１１の貯水ボックス１０１、ポンプは、一体に結合し、ファン１０の底台１０２と立管１０３は、固定して接続する。
上記した従来のミストファン１の噴霧器１１とファン１０は、一体に固定して接続され、分離することはできない。購入時に両者を分離することができないため、必ず一緒に購入しなければならない。消費者が既にファンを所有しているとしても、噴霧器１１を単独で購入し、取り付けることはできない。
さらに、ミストファン１のファン１０、或いは噴霧器１１の内の何れかが損壊すれば、一緒に廃棄せざるを得ず、大きな浪費である。
【考案の概要】
【考案が解決しようとする課題】
【０００４】
本考案は、噴霧器を単独で販売でき、別にファン或いは他の固定フレームと結合できるミストファンの固定装置を提供することである。
【課題を解決するための手段】
【０００５】
本考案は下記のミストファンの固定装置を提供する。
ミストファンの固定装置であって、噴霧器の貯水ボックスは、ポンプと分離して設置し、該ポンプは、ハウジング内に固定し、
該ハウジング片側には、嵌接槽を凹状に設置し、引き締め部材及びネジを備え固定装置を組成し、
該固定装置により、該ハウジングをファンフレーム或いは他の固定フレーム上に結合し、
該嵌接槽両側には、少なくとも１個のネジ孔をそれぞれ設置し、
該引き締め部材は中央に、該ハウジングの嵌接槽に対応し凹部を備え、
該凹部と該嵌接槽とは螺合固定区間を形成し、
該引き締め部材両側は翼板を外へとそれぞれ延伸し、該翼板は該ネジ孔に対応し、それぞれ穿孔を備え、
ネジ一端は該翼板の穿孔を通過後、該ネジ孔と螺合接続し、
該ハウジングは、該螺合固定区間により、該ファンの管体（立管或いはスタンドフレームなど）或いは他の固定フレームの管体を嵌めて入れ、緊密に締め、
これにより、噴霧器のハウジングはファンの管体或いは他の固定フレームと結合して固定し、
こうして、噴霧器は単独で販売し、あとでファンと結合することができる。
【考案の効果】
【０００６】
本考案のミストファンの固定装置は、噴霧器を単独で販売でき、別にファン或いは他の固定フレームと結合することができる。
【図面の簡単な説明】
【０００７】
【図１】従来のミストファンの立体図である。
【図２】本考案実施形態の立体図である。
【図３】本考案実施形態の部分分解立体図である。
【図４】本考案実施形態の組合せ側視図である。
【図５】図４の５−５位置における断面図である。
【図６】本考案実施形態の使用模式図である。
【考案を実施するための形態】
【０００８】
図２、３に示すように、本考案貯水ボックス４０は、ポンプと分離して設置する。ポンプは、ハウジング２０内に固定する。ハウジング２０は、パイプ部材４１により、貯水ボックス４０に連接し、もう一つのパイプ部材４２により、噴霧ヘッド４３に連接し、ファン３のネット上に配置される。
【０００９】
固定装置２は、ハウジング２０を、ファン３の管体３０上に螺合する。図５に示すように、固定装置２は、ハウジング２０、引き締め部材２１、少なくとも２個のネジ２３を備える。
【００１０】
ハウジング２０内部には、噴霧器のポンプを設置する。ハウジング２０片側には、嵌接槽２００を凹状に設置する。ハウジング２０は、嵌接槽２００両側に、少なくとも１個のネジ孔２０１を、それぞれ設置する。ハウジング２０の外壁２０２には、コンセント２０３を設置する。コンセント２０３は、噴霧器のポンプの電源端と連接する。
【００１１】
引き締め部材２１は、可塑性を備え、中央には、ハウジング２０の嵌接槽２００に対応し、凹部２１０を備える。凹部２１０と嵌接槽２００とは、螺合固定区間２２を構成する（図５参照）。引き締め部材２１両側は、翼板２１１を外へと延伸する。翼板２１１はネジ孔２０１に対応し、それぞれ穿孔２１２を備える。嵌接槽２００及び凹部２１０はともに、弧状構造で、両者の間には間隔を開け、中空円状構造を形成する（図５参照）。
【００１２】
少なくとも２個のネジ２３は、一端が、引き締め部材２１の穿孔２１２を通過後、ハウジング２０のネジ孔２０１と螺合接続し、引き締め部材２１とハウジング２０とを、固定する。
【００１３】
図３〜５に示すように、取り付け時には、ハウジング２０の嵌接槽２００を、ファン３の管体３０片側（例えば、立管或いはスタンドフレームなど）に嵌めて入れる。次に、引き締め部材２１の凹部２１０を、ファン３の管体３０反対側に嵌めて入れる。嵌接槽２００と凹部２１０が構成する螺合固定区間２２により、ファン３の管体３０を挟持する。続いて、ネジ２３を穿孔２１２に入れた後、ネジ孔２０１と螺合し、ハウジング２０を、ファン３の管体３０上に固定する。これにより、噴霧器は、単独で販売し、あとでファンと結合可能となる。噴霧器固定装置２の引き締め部材２１は、可塑性を備えるため、ハウジング２０は、さまざまな管径のファン管体と結合でき、交換することができる。
【００１４】
次に、ハウジング２０が、固定装置２によりファン上に固定することができない場合には、固定装置２によりスタンドフレームなどの固定フレーム上に固定することができる（例えば、スタンドフレームなど）。続いて、ハウジング２０を、ファン３のネット上に位置する噴霧ヘッド４３と連接する。
【００１５】
図６に示すように、ハウジング２０はファンの管体３０、或いは他の固定フレーム上に固定する。ファン３の電源コード３１は、ハウジング２０のコンセント２０３に接近し、挿入して接続することができる。さらに、ハウジング２０の電源コード２４を、家庭用コンセントに連接すれば、それで良く、ファン３の電源コード３１を、家庭用コンセントまで引っ張って挿入する必要がないため、非常に便利に電源を使用することができる。
【００１６】
ハウジング２０の嵌接槽２００と引き締め部材２１の凹部２１０が構成する螺合固定区間２２は、ファン３の管体３０、或いは他の固定フレームを挟持する。続いて、ネジ２３を穿孔２１２に入れた後、ネジ孔２０１と螺合接続し、ハウジング２０を、ファン３の管体３０、或いは他の固定フレーム上に固定する。これにより、噴霧器のハウジング２０は、ファンの管体或いは他の固定フレームと結合して固定される。すなわち、噴霧器は、単独で販売し、あとでファンと結合することができ、また引き締め部材２１は可塑性を備えるため、ハウジング２０は、さまざまな管径のファン管体と結合でき、交換することができる。
【００１７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００１８】
１  ミストファン
１０  ファン
１１  噴霧器
１０１  貯水ボックス
１０２  底台
１０３  立管
２  固定装置
３  ファン
３０  管体
２４、３１  電源コード
２０  ハウジング
２００  嵌接槽
２０１  ネジ孔
２０３  コンセント
２１  引き締め部材
２１０  凹部
２２  螺合固定区間
２１１  翼板
２１２  穿孔
２３  ネジ
４０  貯水ボックス
４１、４２  パイプ部材
４３  噴霧ヘッド
【図１】
0003191071.tif 000003
【図２】
0003191071.tif 000004
【図３】
0003191071.tif 000005
【図４】
0003191071.tif 000006
【図５】
0003191071.tif 000007
【図６】
0003191071.tif 000008